(57)【要約】【課題】  副作用のおそれがなく、不必要又は有害な勃起持続を起こさず、性行為の雰囲気を損なう要因が極めて小さい、勃起不全改善器具の実現。【解決の手段】安定電極対形成能を有する鉱物の複数の管状体１と、その孔部を貫通し、リング又はループを形成する、弾性的に屈曲可能な金属線３とから成り、金属線３により管状体１が連結された鎖状のループ４で構成する。陰茎を鎖状のループ４に挿入して用いる。【選択図】  図１
2005152545.tif 000002
【特許請求の範囲】
【請求項１】
安定電極対形成能を有する鉱物から成る複数の管状体と、
前記複数の管状体の孔部を貫通し、かつ環の一部又は螺旋を形成する、弾性的に屈曲可能の線条とから成り、
前記線条により前記管状体が連結され、環の一部又は螺旋を形成する鎖状の連結体を構成し、
陰茎を前記鎖状の連結体に挿入して用いる、勃起不全改善器具。
【請求項２】
前記複数の管状体のうち前記挿入された状態で陰茎に密着可能な前記管状体は、前記孔部に垂直な断面の外周が円である、請求項１の勃起不全改善器具。
【請求項３】
前記管状体が前記鉱物として黒色トルマリンを少なくとも３３重量％含む、請求項１または２の勃起不全改善器具。
【請求項４】
前記密着可能な前記管状体の長さの合計が、前記連結体の長さの少なくとも二分の一である、請求項２の勃起不全改善器具。
【請求項５】
前記密着可能な前記管状体は、前記孔部に沿った断面の外周が長方形であるか長方形に内接する、請求項２の勃起不全改善器具。
【請求項６】
前記密着可能な管状体の前記断面の前記円の直径は、それ以外の前記管状体の断面の円または内接円の直径より大である、請求項２の勃起不全改善器具。
【請求項７】
前記それ以外の前記管状体が孔を有する球状である、請求項６の勃起不全改善器具。
【請求項８】
前記密着可能な前記管状体が、前記それ以外の前記管状体と交互に連結されて成る、請求項６又は７の勃起不全改善器具。
【請求項９】
前記管状体が、安定電極対形成能を有する鉱物粒子の集合体である、請求項１または２の勃起不全改善器具。
【請求項１０】
前記管状体が、少なくとも３３重量％の黒色トルマリン粒子を含む、請求項９の勃起不全改善器具。
【請求項１１】
前記鉱物粒子が３ミクロン以上の平均粒子径を有する、請求項９または１０の勃起不全改善器具。
【請求項１２】
安定電極対形成能を有する鉱物から成る複数の第一の管状体と、
前記鉱物以外の成分の、複数の第二の管状体と、
前記第一および第二の管状体の孔部を貫通し、かつ環の一部又は螺旋を形成する、弾性的に屈曲可能の線条とから成り、
前記線条により前記第一および第二の管状体が連結され、環の一部又は螺旋を形成する、鎖状の連結体を構成し、
陰茎を前記鎖状の連結体に挿入して用いる、勃起不全改善器具。
【請求項１３】
前記複数の第一の管状体は、陰茎に密着可能であり、前記孔部に垂直な断面の外周が円である、請求項１２の勃起不全改善器具。
【請求項１４】
前記第一の管状体が前記鉱物として黒色トルマリンを少なくとも３３重量％含む、請求項１３の勃起不全改善器具。
【請求項１５】
前記第一の管状体の長さの合計が、前記連結された前記第一および第二の管状体の長さの合計の少なくとも二分の一である、請求項１３または１４の勃起不全改善器具。
【請求項１６】
前記鎖状の連結体の少なくとも一部において、前記第一の管状体と前記第二の管状体が交互に連結されて成る、請求項１３の勃起不全改善器具。
【請求項１７】
前記第一の管状体と前記第二の管状体がすべて交互に連結されて成る、請求項１６の勃起不全改善器具。
【発明の詳細な説明】
【技術分野】
【０００１】  本発明は勃起不全改善器具に関する。特に、性行為の雰囲気を損なわないで効果を奏し、副作用のおそれがない勃起不全改善器具に関する。
【背景技術】
【０００２】  陰茎の勃起不全の治療方法として、従来は、精神治療、薬物治療、薬剤注入、勃起補助具の使用等が実用されている。【０００３】  精神治療は長期間を要し、その割りに効果が得られないとされている。勃起補助具の使用は、概して大げさな器具を必要とし、性行為の雰囲気を損なう面が大きい。【０００４】  薬物治療については、過去に多用されたビタミン類やホルモン剤に代わりバイアグラが出現したことにより、有効率はかなり向上した。副作用は、注意をすれば一時マスコミで騒がれたほど大きくないことが、その後明らかになった。【０００５】  モキシライト、パパベリン、フェントラミン等の薬剤の局所注入は、有効率が高く、副作用も少ないと言われるが、専門医の指示が不可欠で、まだあまり普及していない。【０００６】  後述のように、これらの方法は、副作用や、不必要な又は有害な勃起持続のおそれがあり、あるいは性行為の雰囲気を損なう要因を伴うので、それらの点を改善する勃起不全改善器具が実用新案登録３０３１３８７号公報（文献１とする）および特開２００３−２２５２６２号（文献２とする）に提案された。【０００７】  文献１の勃起不全改善器具は、ゲルマニウム、磁性体金属等を２本の弾性合成樹脂リングの間に固定し、弾性によるリング口径の復元力を利用して、膨張した陰茎に密着させるものである。【０００８】  図９は文献１の勃起不全改善器具を示す。勃起不全改善器具は、直径の同じ２本の合成樹脂リング９１、９２の間に、血流促進作用物質の粒状体９３を挟んで固定したものである。合成樹脂リング９１、９２は弾性的に伸縮可能で、無張力状態で陰茎を挿入し、粒状体９３の作用により陰茎が膨張した後は、弾性力で陰茎に密着して固定され、勃起を維持する。【０００９】  文献２の勃起不全改善器具は、トルマリンのような安定電極対形成能を有する鉱物粒子を含む親水性膜を具えた可撓性のシートより成る。勃起改善の効果を確実に得るためには陰茎に直接、可撓性シートを巻き付けて用いる。そのためには、陰茎に帯状のシートを巻き付けた後、巻きが解けないようにする必要があり、帯状の可撓性シートの一端または両端に粘着部材その他の連結部材を設けて、帯状シートの一部が環を形成できるようにする。【００１０】  文献１  実用新案登録３０３１３８７号公報
文献２  特開平２００３−２２５２５２号公報
【発明が解決しようとする課題】
【００１１】  上述のように、バイアグラは副作用も注意をすれば避けられ、有効率も比較的高いが、その効果は主として心因性のものに限られることが明らかになり、またその作用機序が明らかになるとともに、ニトロ薬剤との相互作用による危険の大きさが認識されるに至った。
【００１２】  適応範囲が限定されるバイアグラと異なり、薬剤の局所注入は効果や安全性が高いとされる反面、行為の直前に、その近傍で局所へ薬剤を注入する作業が必要で、相手に知られれば、雰囲気が大いに損なわれるのはもちろん、男性もその作業をすること自体で心理的影響を免れない。
【００１３】  さらに、薬剤の局所注入は効果の持続性が長所であると同時に短所でもあり、性行為後の通常の生活行動が大いに阻害されるだけでなく、陰茎硬直症を起こすことがしばしばある。
【００１４】  文献１および文献２の勃起不全改善器具は、副作用のおそれがなく、不必要あるいは有害な勃起持続を起こさず、性行為の雰囲気を損なう要因を軽減するものである。しかし、文献１の勃起不全改善器具は、合成樹脂の弾性力で膨張時の陰茎にリングの内側の面が全周にわたって密着し、うまく装着されなかったとき、器具を陰茎表面に沿って移動したり、取り去ったりすることが極めて困難である。無理に行えば強い痛みを伴う。また、陰茎がすでに膨張し始めているときには、リングをひっぱって口径を広げないと装着できないから、装着は容易でない。
【００１５】  また、文献２の勃起不全改善器具は、帯状のシートを陰茎に巻き付けて用いる際、性器の運動により巻きが解け、また男女いずれかの分泌液によりシート上の親水性膜が膨潤あるいは溶解して変形又は離脱する欠点を有する。親水性膜が離脱すると、もはや再使用は不可能となる。
【００１６】  本発明の目的は、副作用のおそれがなく、不必要な又は有害な勃起持続を起こさず、性行為の雰囲気を損なう要因が極めて小さい、勃起不全改善器具を実現することにある。
【００１７】  また、本発明の目的は、膨張時の陰茎表面に沿って移動したり、取り去ったりすることも、痛みを伴うことなく容易にでき、陰茎の膨張が部分的に始まったときにも装着が可能な、勃起不全改善器具を実現することにある。
【００１８】  さらに本発明の目的は、陰茎に巻き付けて用いる際、性器の運動により離脱することがなく、また再使用も可能な勃起不全改善器具を実現することにある。
【課題を解決するための手段】
【００１９】  本発明の上記目的は、安定電極対形成能を有する鉱物から成る複数の管状体と、これら複数の管状体の孔部を貫通し、かつ環の一部又は螺旋を形成する、弾性的に屈曲可能の線条とから成り、この線条により管状体が連結され、環の一部又は螺旋を形成する鎖状の連結体を構成し、陰茎をこの鎖状の連結体に挿入して用いるようにした、勃起不全改善器具により達成される。ただし、環の一部とは、物理的には閉じていない完全な環をも含むものとする。
【００２０】  本発明の勃起不全改善器具において管状体は、トルマリン等の安定電極対（エレクトレット）形成能を有する鉱物を３３重量％を超えて含むとき、発明の目的がより効果的に達成される。鉱物は大部分、例えば９０重量％を超えてトルマリン等の安定電極対形成能を有する鉱物を含むことが好ましい。トルマリン等の安定電極対形成能を有する鉱物粒子は、遠赤外線の放射率が高く、また遊離の負イオンを有意に発生することが知られている。
【００２１】  鉱物は、黒トルマリンのような高純度のトルマリンを３３重量％以上含むことが好ましい。トルマリン以外の成分として、例えば酸化ジルコニウム、酸化アルミニウム、酸化チタン、酸化鉄を、含んでもよい。
【００２２】  本発明の勃起不全改善器具では、管状体の孔部を貫通する線条が環の少なくとも一部又は螺旋を形成することにより、管状体が連結されて環の少なくとも一部又は螺旋を形成する、端を有する鎖状の連結体を構成し、陰茎をこの鎖状の連結体に挿入して用いるものである。女性性器に進入することなく使用するには、陰茎の基部に装着するのがよい。
【００２３】  管状体は、開口部（貫通孔）に垂直な断面の外周が円、すなわち円筒状であることが好ましい。これにより、管状体が陰茎に密着する面積が小さくなり、陰茎表面に沿って移動しても痛みをほとんど伴わない。
【００２４】  連結された複数の管状体の長さの合計の少なくとも二分の一が陰茎に密着可能で、これらの管状体は、開口部に垂直な断面の外周が円であること（例えば円筒状）が好ましい。比較的大きい直径を有する管状体と、それより小さい直径を有する管状体とを、線条を貫通させて連結すれば、前者のみを陰茎に密着させることができる。陰茎に密着し得る管状体は、開口部に沿った断面の外周が長方形（すなわち円筒状）であるか、長方形に内接する（すなわち俵状）ことが好ましい。小さい直径を有する管状体は、孔を有する球体であってもよく、それにより鎖状の環または螺旋がより柔軟になり、使用感がよくなる。
【００２５】  連結された複数の管状体の長さの合計の少なくとも二分の一を、比較的大きい断面直径を有する円筒状とし、それよりも小さい断面直径を有する管状体と交互に連結すれば、比較的大きい円筒状の管状体を陰茎に密着させることが容易にできる。
【００２６】  管状体は、安定電極対形成能を有する鉱物粒子の集合体であってもよい。この場合、管状体は少なくとも３３重量％の黒色トルマリン粒子を含むことが好ましい。管状体に含まれる鉱物粒子は３ミクロン以上の平均粒子径を有することが好ましい。結合剤が鉱物粒子と共存してもよい。
【００２７】  本発明の勃起不全改善器具は複数の管状体の一部が、安定電極対形成能を有する鉱物以外の成分から成ってもよい。安定電極対形成能を有する鉱物から成る管状体を第一の管状体、他の成分から成る管状体を第二の管状体とするとき、第一の管状体の長さの合計が、連結された第一および第二の管状体の長さの合計の少なくとも二分の一であることが好ましい。複数の第一の管状体は、全てが陰茎に密着し得ることが好ましい。鎖状の連結体の少なくとも一部において、陰茎に密着し得る第一の管状体が、第二の管状体と交互に連結されていることが好ましい。第一の管状体と第二の管状体が全て交互に連結されてもよい。
【００２８】  本発明の勃起不全改善器具において、線条は弾性的に屈曲自在なものとする。これにより、管状体が線条により連結された鎖状連結体の形成する、環の一部（物理的に閉じていない完全な環を含む）又は螺旋の直径が復元可能に可変となり、陰茎に装着する際や取り外すことが容易にできる。従って、使用者に痛みや不快な緊迫感を与えない。弾性的に屈曲自在な線条は、例えば鋼線、燐青鋼線で、構成することができる。錆びにくい材料、例えば不銹鋼が好ましい。
【００２９】  連結される管状体の個数は、少なくとも５個あればよいが、８個以上が好ましい。８個以上の断面直径の大きい円筒管の間に、それよりも直径の小さい、球状の管体（ビーズ）が位置するように、それらに弾性的に屈曲自在の線条を通し、管状体を連結して環又は螺旋にし、大小の管状体が交互に連結された鎖状の連結体を形成してもよい。鎖の一部で、同等の大きさの管が隣り合っていてもよい。
【００３０】  本発明の勃起不全改善器具は弾性的に直径可変の鎖状連結体で構成されているので、勃起する前の状態でも陰茎の基部又は頸部に容易に保持される。安定電極対形成能を有する鉱物から放射される遠赤外線の作用で血流が促進されて、１ないし３分後には陰茎が勃起する。陰茎の基部まで挿入する場合には、必要なら陰茎を水平に近く保持すれば、基部に留めることができる。陰茎が勃起して膨張すれば、弾性的収縮力により頸部または基部に固定される。基部まで挿入する場合、性交中に勃起改善器具が女性性器内に進入することがなく、終了時にも脱落することがない。勃起時の陰茎の頸部に保持する場合にも、環又は螺旋の収縮時最小寸法を十分小さくすれば、性交終了時に萎縮した頸部のくびれから脱落しない。またコンドームを使用していれば、その中に残留する。
【発明を実施するための最良の形態】
【００３１】  以下に、本発明の実施形態を説明する。
図１は本発明の勃起不全改善器具の平面図であり、図２は図１中の切断面Ｘ−Ｘに沿った断面を拡大して示す。図１において、円筒管１は黒色トルマリン等の鉱物の円筒管、ビーズ２Ａは黒色トルマリン等の球状の管で、円筒管１の断面直径より小さい直径をもつ。円筒管１とビーズ２Ａは、中心に孔１ａ，２ａがあいている。ビーズ２Ｂは、ビーズ２Ａと同様の黒色トルマリン等の球で、孔２ａと同じ直径の穴２ｂをもつ。弾性屈曲可能のステンレス鋼のワイヤ３を、円筒管１とビーズ２Ａの中心の孔１ａ，２ａに通し、両端をそれぞれビーズ２Ｂの穴２ｂに挿入して固定することにより、８個の円筒管１と７個のビーズ２Ａおよび２個のビーズ２Ｂが交互に連結され、直径可変の鎖状のリング４を形成している。リング４が本発明の勃起不全改善器具である。【００３２】  図３および図４は本発明の勃起不全改善器具の使用状態を示す。図３は本発明の勃起不全改善器具を勃起前の男性の陰茎に着用する際の状態、図４は着用後、その効果により陰茎が勃起した状態を、それぞれ示す。【００３３】  図３に示すように、勃起前の陰茎１１の頸部１２まで、勃起不全改善器具すなわち鎖状のリング４を挿入する。リング４は頸部１２のくびれにかかり保持される。リング４を形成する円筒管１及びビーズ２の、安定電極対形成能を有する鉱物から放射される遠赤外線の作用で、陰茎１１は勃起して図４の状態となる。【００３４】  図４に示すように、リング４はその収縮力により、膨張した陰茎１１ａの頸部１２ａに固定される。【００３５】  図５および図６は本発明の勃起不全改善器具の別の使用状態を示す。図６は本発明の勃起不全改善器具を勃起前の陰茎に着用する際の状態、図６は着用した後、その効果により性器が勃起した状態を、それぞれ示す。【００３６】  図６に示すように、勃起前の陰茎１１の基部１３まで、勃起不全改善器具すなわち鎖状のリング４を挿入する。陰茎１１を手指等でほぼ水平に保持すれば、リング４はその基部１３に保持される。図３の場合と同様、遠赤外線の作用で陰茎１１は勃起し、図６の状態となる。【００３７】  図６に示すように、リング４はその収縮力により、膨張した陰茎１１ａの基部１３ａに固定される。【００３８】  図７および図８は本発明の勃起不全改善器具の別の実施形態を示す。図７は勃起不全改善器具の平面図、図８は側面図である。図７および図８において、円筒管１、ビーズ２Ａ、ビーズ２Ｂおよびワイヤ３は図１と同じものである。ワイヤ３を、円筒管１とビーズ２Ａの孔１ａ，２ａに通し、両端をそれぞれビーズ２Ｂの穴２ｂに挿入して固定することにより、１０個の円筒管１と９個のビーズ２Ａおよび２個のビーズ２Ｂが交互に連結され、直径可変の鎖状のループ２４を形成している。ループ２４が本発明の勃起不全改善器具である。
【実施例】
【００３９】［実施例１］
直径約６ｍｍ、長さ７ｍｍ、貫通孔の直径約１．５ｍｍの黒色トルマリンの円筒管１、直径約１．５ｍｍの貫通孔をもつ直径約４ｍｍの球状の黒色トルマリンのビーズ２Ａの、それぞれ孔１ａ，２ａに、直径０．８５ｍｍのステンレス鋼のワイヤ３を通し、ワイヤ３の両端をそれぞれビーズ２Ｂの穴２ｂに挿入して固定することにより、合計１１個のビーズの間に１０個の円筒管１が介在するように、それらを交互に連結し、直径可変の鎖状のループ２４を形成した。このループ２４は、図７および図８に示した勃起不全改善器具に相当する。【００４０】  このループ２４を図３に示す方法で年齢７０歳の男性の性器１１に装着したところ、約１．５分後には図４に示すような勃起の状態となった。【００４１】  ループ２４を図５に示す方法で上述の男性の性器１１に装着したところ、同様の時間の後図６に示すような勃起の状態となった。
【発明の効果】
【００４２】  本発明の勃起不全改善器具は、安定電極対形成能を有する鉱物から成る複数の管状体と、これら複数の管状体の孔部を貫通し、かつ環又は螺旋を形成する、弾性的に屈曲可能な線条とから成り、この線条により管状体が連結されて環又は螺旋を形成する鎖状の連結体で構成されたことにより、副作用のおそれがなく、不必要な又は有害な勃起持続を起こさず、性行為の雰囲気を損なう要因を著しく軽減した、勃起不全改善器具が実現された。
【００４３】  これは、本発明の勃起不全改善器具が、安定電極対形成能を有する鉱物から成る、鎖状に連結された管状体から放射される遠赤外線により、末梢血管の血流を促進させ、環状又は螺旋状の器具に挿入された陰茎の勃起を誘発するものであるため、副作用を伴わず、また使用終了後陰茎から抜き去れば、不必要又は有害な勃起持続も起こさないことによる。管状体を弾性的に屈曲可能な線条により連結した直径可変の鎖状の環又は螺旋の内側に、勃起前の陰茎を挿入するだけで使用できるから、事前の作業も簡単で、装着した状態でも目立たないから、性行為の雰囲気を損なうことがない。
【００４４】  本発明の勃起不全改善器具は、陰茎の基部にも装着でき、頚部に装着した場合も含めて、帯状のシートの場合のように性器の運動により離脱することがなく、また体液で濡れても再使用できる。これは、文献２の勃起不全改善器具では得られない利点である。
【００４５】  本発明の勃起不全改善器具は、複数の管状体を連結した鎖状連結体の不完全環又は螺旋から成るので、陰茎の皮膚への密着面は不連続となるから、膨張した陰茎の表面に沿って移動させ、あるいは抜き去るときも痛みを伴わず、それらの操作が容易にできる。装着の際も、連結体の両端が開放されているから、閉じたリングのように内側に指等を入れないでも、口径を広げて装着することが容易にできる。これらは、文献１の勃起不全改善器具では得られない利点である。
【図面の簡単な説明】
【図１】  本発明の勃起不全改善器具の平面図
【図２】  本発明の勃起不全改善器具の拡大断面図
【図３】  本発明の勃起不全改善器具の使用状態を示す説明図
【図４】  本発明の勃起不全改善器具の使用状態を示す説明図
【図５】  本発明の勃起不全改善器具の使用状態を示す説明図
【図６】  本発明の勃起不全改善器具の使用状態を示す説明図
【図７】  本発明の勃起不全改善器具の平面図
【図８】  本発明の勃起不全改善器具の側面図
【図９】  従来の勃起不全改善器具の斜視図
【符号の説明】
１          円筒管
２Ａ        ビーズ
２Ｂ        ビーズ
１ａ，２ａ  孔
２ｂ        穴
３          ワイヤ
４          リング
１１、１１ａ  陰茎
１２、１２ａ  頸部（陰茎の）
１３、１３ａ  基部（陰茎の）
２４          ループ
９１、９２    合成樹脂リング
９３          粒状体
【図１】
2005152545.tif 000003
【図３】
2005152545.tif 000004
【図４】
2005152545.tif 000005
【図５】
2005152545.tif 000006
【図６】
2005152545.tif 000007
【図２】
2005152545.tif 000008
【図７】
2005152545.tif 000009
【図８】
2005152545.tif 000010
【図９】
2005152545.tif 000011